(57)【要約】【課題】  管理や保管が容易であって色による識別機能を安価に付加することができる識別情報表示ラベル及びこれを備える収納容器並びに識別情報表示方法を提供すること。【解決手段】  互いに異なる色を表示する複数の色表示部３１ａ〜３１ｆを有し、該複数の色表示部３１ａ〜３１ｆのうちの色表示部３１ａが選択的に標示されて前記識別情報が表示され、収納容器１に貼付されることで該収納容器１に収納された収納物の識別情報を表示する。【選択図】  図２
2007101831.tif 000002
【特許請求の範囲】
【請求項１】
収納容器に貼付され、該収納容器に収納された収納物の識別情報を表示する識別情報表示ラベルにおいて、
互いに異なる色の複数の色表示部が設けられ、該複数の色表示部の一部が選択的に標示されて前記識別情報が表示されることを特徴とする識別情報表示ラベル。
【請求項２】
前記収納物が切削工具であり、前記識別情報が前記切削工具の材種、用途及び被削材の少なくとも１つであることを特徴とする請求項１に記載の識別情報表示ラベル。
【請求項３】
前記一部の色表示部を囲むように、前記複数の色表示部で用いられている色とは異なる色の区別用画像が印されていることにより、前記色表示部の一部が選択的に標示されていることを特徴とする請求項１または２に記載の識別情報表示ラベル。
【請求項４】
前記一部の色表示部に、前記複数の色表示部で用いられている色とは異なる色の区別用画像が印されていることにより、前記色表示部の一部が選択的に標示されていることを特徴とする請求項１または２に記載の識別情報表示ラベル。
【請求項５】
前記色表示部の一部を除いた他の色表示部に、前記複数の色表示部で用いられている色とは異なる色の区別用画像が印されていることにより、前記色表示部の一部が選択的に標示されていることを特徴とする請求項１または２に記載の識別情報表示ラベル。
【請求項６】
前記区別用画像が、前記他の色表示部の一部を覆うように印されていることを特徴とする請求項５に記載の識別情報表示ラベル。
【請求項７】
前記区別用画像が、前記他の色表示部の全体をそれぞれ覆うように印されていることを特徴とする請求項５に記載の識別情報表示ラベル。
【請求項８】
前記区別用画像が、プリンタ装置によって印されていることを特徴とする請求項３から７のいずれか１項に記載の識別情報表示ラベル。
【請求項９】
前記プリンタ装置によって、文字情報、図形情報及びバーコード情報のうち少なくとも１つが印されていることを特徴とする請求項８に記載の識別情報表示ラベル。
【請求項１０】
請求項１から９のいずれか１項に記載の識別情報表示ラベルが貼付されていることを特徴とする収納容器。
【請求項１１】
前記識別情報表示ラベルが、積み重ね時に他の収納容器と非接触となる位置に前記色表示部が位置するように貼付されていることを特徴とする請求項１０に記載の収納容器。
【請求項１２】
収納容器に収納された収納物の識別情報を、前記収納容器に貼付される識別情報表示ラベルにより表示する識別情報表示方法において、
互いに異なる色の複数の色表示部を有する識別情報ラベルを用いて、前記色表示部の一部を選択的に表示することにより、前記識別情報を表示した識別情報表示ラベルを前記収納容器に貼付することを特徴とする識別情報表示方法。
【発明の詳細な説明】
【技術分野】
【０００１】
本発明は、例えば収納物の識別情報を表示する識別情報表示ラベル及び収納容器並びに識別情報表示方法に関する。
【背景技術】
【０００２】
従来、例えばインサートなどの切削工具は、切削工具の切刃の損傷を防止して安全に保管することを目的として、収納容器内に個別に収納されている（特許文献１参照）。このような収納容器は、プラスチックなどの樹脂材料によって形成されており、収納容器の上面や側面に収納されている切削工具の型番号などそれぞれの切削工具を識別するための文字情報が表示された識別情報表示ラベルが貼付されている。
また、収納容器の外観から収納された切削工具の、例えば材種を容易に識別するために、切削工具の材種に応じて複数の異なる色の収納容器を用意し、材種ごとに異なる色の収納容器に収納することがある。これにより、収納容器の色を視認することで、収納されている切削工具の材種の識別情報を取得できる。
【特許文献１】特開平９−１５６６８５号公報
【発明の開示】
【発明が解決しようとする課題】
【０００３】
しかしながら、上記従来の収納容器には以下の課題がある。すなわち、近年ではこのような切削工具の収納容器においても、リサイクルが求められており、リサイクルを容易にするために容器を単色とすることが望まれている。そこで、異なる色の収納容器を用意することに代えて収納容器に貼付する識別情報表示ラベルや収納容器自体に、切削工具の材種などに応じたそれぞれ異なる色の色表示部を画像形成装置などにより形成し、この色表示部を視認することで切削工具の材種などの識別情報を判断することが考えられる。しかし、この場合には、材種などに応じたそれぞれ異なる色の色表示部を有する複数種類の識別情報表示ラベルを用意する必要があるため管理、保管が煩雑になったり、複数色の画像を材種ごとに異なるパターンでラベルや収納容器に形成することができる高価な画像形成装置を用いる必要があったりするという問題がある。
【０００４】
本発明は、前述の課題に鑑みてなされたもので、管理や保管が容易であって色による識別機能を安価に付加することができる識別情報表示ラベル及び収納容器並びに識別情報表示方法を提供することを目的とする。
【課題を解決するための手段】
【０００５】
本発明は、前記課題を解決するために以下の構成を採用した。すなわち、本発明の識別情報表示ラベルは、収納容器に貼付され、該収納容器に収納された収納物の識別情報を表示する識別情報表示ラベルにおいて、互いに異なる色の複数の色表示部が設けられ、該複数の色表示部の一部が選択的に標示されて前記識別情報が表示されることを特徴とする。
【０００６】
この発明では、ラベルにあらかじめ設けられた複数の色表示部のうち一部が選択的に標示されることにより、該ラベルが貼付された収納容器に収納された収納物の識別情報が表示される。例えば、収納物が切削工具であり、複数の色表示部がそれぞれ切削工具の材種を示して、第１色表示部が超硬、第２色表示部がサーメット、第３色表示部がＣＶＤ超硬とあらかじめ対応付けられている場合において、第１色表示部が選択的に表示されているとき、選択された第１色表示部を視認することで切削工具の材種が超硬であることを識別することができる。
これにより、標示された一部の色表示部の色を視認することで、複数の色表示部から選択して収納物の識別情報を容易に取得できる。そして、本発明において識別情報表示ラベル自体は複数の色表示部が設けられた一種のものとして、このうち一部の色表示部を標示すればよく、標示する色にそれぞれ応じた色表示部を有する複数種の識別情報表示ラベルを準備する必要がない。したがって、識別情報表示ラベルの管理が容易である。
また、複数色の画像を形成することができる高価な装置を用いる必要がなく、色による識別機能を安価に付加できる。
【０００７】
また、本発明の識別情報表示ラベルは、前記収納物が切削工具であり、前記識別情報が前記切削工具の材種、用途及び被削材の少なくとも１つであることが好ましい。
この発明では、上述したように、例えば複数の色表示部が切削工具の材種を示すものとして、複数の色表示部のうち第１色表示部が超硬、第２色表示部がサーメット、第３色表示部がＣＶＤ超硬、などのように各色表示部において標示する情報をあらかじめ対応付けておき、複数の色表示部のうち第１色表示部を標示することで、収納された切削工具の材種が超硬であると識別する。
【０００８】
また、本発明の識別情報表示ラベルにおいて、収納物の識別情報を表示する一部の色表示部を標示するには、前記一部の色表示部を囲むように、前記複数の色表示部で用いられている色とは異なる色の区別用画像が印されていることにより、前記色表示部の一部が選択的に標示されていることとしてもよい。
この発明では、収納物の識別情報が標示された一部の色表示部を区別用画像で囲むことで、他の色表示部と視認により区別することができる。
【０００９】
また、本発明の識別情報表示ラベルにおいて、収納物の識別情報を表示する一部の色表示部を標示するには、前記一部の色表示部に、前記複数の色表示部で用いられている色とは異なる色の区別用画像が印されていることにより、前記色表示部の一部が選択的に標示されていることとしてもよい。
この発明では、上述と同様に、収納物の識別情報が標示された一部の色表示部に区別用画像を記すことで、他の色表示部と視認により区別することができる。
【００１０】
また、本発明の識別情報表示ラベルにおいて、収納物の識別情報を表示する一部の色表示部を標示するには、上述のように、この一部の色表示部を囲ったり、一部の色表示部に印をつけたりしてもよいが、これとは逆に、前記色表示部の一部を除いた他の色表示部に、前記複数の色表示部で用いられている色とは異なる色の区別用画像が印されていることにより、前記色表示部の一部が選択的に標示されていることとしてもよい。
この発明では、収納物の識別情報を表示する一部の色表示部を除く他の色表示部であるに色表示部で用いられている色とは異なる色の単色の区別用画像を形成することで、両者を区別することができる。したがって、複数の色を表示することができる高価な装置を用いる必要もなく、色による識別機能を安価に付加できる。
【００１１】
また、本発明の識別情報表示ラベルは、前記区別用画像が、前記他の色表示部の一部を覆うように印されていることとしてもよい。
この発明では、他の色表示部を部分的に区別用画像で覆うことで、複数の色表示部のうち収納物の識別情報が表示された色表示部と他の色表示部とを視認により区別することができる。
【００１２】
また、本発明の識別情報表示ラベルは、前記区別用画像が、前記他の色表示部の全体をそれぞれ覆うように印されていることが好ましい。
この発明では、他の色表示部の全体を区別用画像で覆うことで一部の色表示部以外のさまざまな色が視角に入ることがなくなり、複数の色表示部のうち収納物の識別情報が表示された色表示部と他の色表示部とを視認により容易に区別することができる。
【００１３】
また、本発明の識別情報表示ラベルは、前記区別用画像が、プリンタ装置によって印されていることが好ましい。
この発明では、プリンタ装置で区別用画像を印すので、多数の識別情報表示ラベルに連続して互いに異なる色表示部が選択的に標示されるように区別用画像を印す場合でも、効率的に区別用画像を形成することができる。また、効率的な識別情報表示ラベルの製造が可能になると共に、識別情報表示ラベルに表示された情報を良好に視認することができる。
【００１４】
また、本発明の識別情報表示ラベルは、前記プリンタ装置によって、文字情報、図形情報及びバーコード情報のうち少なくとも１つが印されていることが好ましい。
この発明では、上述のようにプリンタ装置によって、文字情報、図形情報及びバーコード情報のうち少なくとも１つが印されていることによって微細な画像を印すことができるので、例えば収納物の製品情報などを文字情報や図形情報、あるいはバーコード情報として識別情報を標示する区別用画像と合わせて同時に形成することができる。
【００１５】
また、本発明の収納容器は、上記記載の識別情報表示ラベルが貼付されていることを特徴とする。
この発明では、上述した識別情報表示ラベルが貼付されているので、収納物に応じて複数色の収納容器を用いずに単色の収納容器であっても、色による識別機能を安価に付加できる。
【００１６】
また、本発明の収納容器は、前記識別情報表示ラベルが、積み重ね時に他の収納容器と非接触となる位置に前記色表示部が位置するように貼付されていることが好ましい。
この発明では、収納容器を複数積み重ねた場合であっても、一部の色表示部によって標示された識別情報を良好に視認することができる。
【００１７】
また、本発明の識別情報表示方法は、互いに異なる色の複数の色表示部を有する識別情報ラベルにおける前記色表示部の一部を除いた他の色表示部に、該色表示部で用いられている色とは異なる色の区別用画像を印し、前記識別情報ラベルを容器本体に貼付することを特徴とする。
この発明では、上述した識別情報表示ラベルを容器本体に貼付するので、収納物に応じて複数色の収納容器を用いずに単色の収納容器であっても、色による識別機能を安価に付加できる。
【発明の効果】
【００１８】
本発明の識別情報表示ラベル及び収納容器並びに識別情報表示方法によれば、複数の色表示部のうち一部が選択的に標示されることにより、色による収納物の識別が行える。したがって、標示する色にそれぞれ応じた色表示部を有する複数種の識別情報表示ラベルを準備する必要がなく、識別情報表示ラベルの管理が容易である。また、複数色の画像を形成することができる高価な装置を用いる必要がないので、色による識別機能を安価に付加できる。
【発明を実施するための最良の形態】
【００１９】
以下、本発明にかかる識別情報表示ラベル及び収納容器並びに識別情報表示方法の一実施形態を、図面に基づいて説明する。
本実施形態における収納容器１は、インサートなどの切削工具（収納物、図示略）を収納する容器であって、例えばプラスチックなどの樹脂材料によって構成されており、図１（ａ）、（ｂ）に示すように、容器本体２と、容器本体２に取り付けられる蓋体３とを備えている。
【００２０】
容器本体２は、平たく偏平した箱形状を有しており、平面視矩形状の底部１１と、底部１１から垂直上方に立ち上げられた側壁部１２〜１５と、底部１１及び側壁部１２〜１５によって形成された空間を分割して上述した切削工具を収納する複数（本実施形態では１０）の収納空間１６を形成する仕切板部１７とを備えている。
【００２１】
側壁部１２、１３は、底部１１の一対の長辺縁にそれぞれ設けられており、側壁部１４、１５は、底部１１の一対の短辺縁にそれぞれ設けられている。そして、側壁部１２〜１５のうち側壁部１２〜１４は、側壁部１５よりもやや上方に延出して形成されている。また、側壁部１２、１３の内側側面には、容器本体２の長手方向に沿って溝１８、１９がそれぞれ形成されている。
【００２２】
仕切板部１７は、底部１１から垂直上方に立ち上げられており、側壁部１２、１３と平行に立設された縦仕切板部２１と、縦仕切板部２１から枝分かれするように側壁部１４、１５と平行に立設された横仕切板部２２とによって構成されている。
【００２３】
蓋体３は、平面視矩形状の透明な板部材であって、長縁を容器本体２に形成された溝１８、１９に嵌挿させることで、容器本体２に装着される。この収納容器１は、蓋体３の上面に他の収納容器１の底部１１を重ね合わせることで積み重ね可能となっている。
【００２４】
また、容器本体２の底部１１及び側壁部１４と、蓋体３とには、図２（ａ）〜（ｃ）に示すように、識別情報表示ラベル３０が貼付されている。
識別情報表示ラベル３０は、長辺が底部１１と蓋体３との間より長く、短辺が側壁部１２、１３間より小さい長方形状のラベル紙であって、裏面が粘着面となっていて台紙が貼られている。また、識別情報表示ラベル３０は、短辺方向にわたって形成された折曲線Ｌ１、Ｌ２を有しており、この折曲線Ｌ１、Ｌ２によって第１〜第３ラベル部３０Ａ〜３０Ｃに区画されている。そして、識別情報表示ラベル３０は、収納容器１の蓋体３を閉じた状態で、蓋体３の端部近傍から側壁部１５、底部１１にわたって貼付されており、容器本体２に対する蓋体３の蓋止めを兼ねている。すなわち、折曲線Ｌ１が蓋体３と側壁部１５との交差部に、折曲線Ｌ２が側壁部１５と底部１１との交差部にそれぞれ位置している。これにより、識別情報表示ラベル３０は、蓋体３に第１ラベル部３０Ａが、側壁部１５に第２ラベル部３０Ｂが、底部１１に第３ラベル部３０Ｃが、それぞれ貼付されるように構成されている。
また、識別情報表示ラベル３０は、複数の色表示部３１ａ〜３１ｆと、文字情報表示部３２と、図形情報表示部３３と、バーコード情報表示部３４とを有する。
【００２５】
複数の色表示部３１ａ〜３１ｆは、それぞれが折曲線Ｌ１に沿って並ぶと共に第１及び第２ラベル部３０Ａ、３０Ｂに跨って形成されている。したがって、識別情報表示ラベル３０を容器本体２及び蓋体３に貼付したとき、収納容器１の上面側と側壁部１５側とから色表示部３１ａ〜３１ｆを視認することが可能となっている。
そして、色表示部３１ａ〜３１ｆは、例えばインクジェット印刷などの印刷技術を用いてあらかじめ同大の長方形状などに印刷されており、それぞれ異なる色を表示している。ただし、図２〜図４では、異なる模様によって示されている。ここで、色表示部３１ａ〜３１ｆが表示する色は、それぞれが例えば切削工具に使用されている材種に対応している。例えば、色表示部３１ａが超硬、色表示部３１ｂがサーメット、色表示部３１ｃがＣＶＤ超硬、色表示部３１ｄがＰＶＤ超硬、色表示部３１ｅがセラミックス、色表示部３１ｆがＣＢＮをそれぞれ示している。
そして、色表示部３１ａ〜３１ｆのうち、色表示部３１ａを除く他の色表示部３１ｂ〜３１ｆには、黒色の区別用画像３５が全体を覆うように形成されている。この区別用画像３５により、あらかじめ印刷されていた色表示部３１ｂ〜３１ｆの色が外部から視認できないように構成されている。したがって、色表示部３１ａのみが選択的に標示されて色表示部３１ａが有する材種情報が表示されている。なお、収納される切削工具の材種が異なれば、色表示部３１ｂ〜３１ｆのうちのいずれかのみが外部から視認できるように、他の色表示部に区別用画像３５を形成する。
【００２６】
文字情報表示部３２は、第１〜第３ラベル部３０Ａ〜３０Ｃにそれぞれ形成されており、例えば収納される切削工具の種類や材種、呼び寸法のような切削工具の仕様のほかに、型番号や管理番号、製造メーカ名、製造番号などの文字情報を表示する。
図形情報表示部３３は、第３ラベル部３０Ｃに形成されており、製造メーカのマークなどの模様や図柄を表示する。
バーコード情報表示部３４は、第３ラベル部３０Ｃに形成されており、バーコード読取装置を用いて情報を機械的に読み取ることで切削工具の識別情報を取得し、集計や管理などを容易にすることを目的として設けられている。
【００２７】
これら文字情報表示部３２、図形情報表示部３３、バーコード情報表示部３４及び区別用画像３５は、図４に示すように、色表示部３１ａ〜３１ｆのみが形成された識別情報表示ラベル３０に対して周知のプリンタ装置を用いて識別情報表示ラベル３０の表面または色表示部３１ｂ〜３１ｆを黒色で印すことによって形成されている。なお、製品に共通する文字情報や図形情報は、あらかじめ識別情報表示ラベル３０に印刷しておくことが好ましい。
【００２８】
このような識別情報表示ラベル３０により、切削工具の識別情報を収納容器１に表示させる場合には、上述のプリンタ装置によって文字情報表示部３２、図形情報表示部３３、バーコード情報表示部３４及び区別用画像３５が形成された識別情報表示ラベル３０を、台紙を剥がした状態で折曲線Ｌ１、Ｌ２に沿って折り曲げつつ容器本体２及び蓋体３に貼付する。このようにして色表示部３１ａ〜３１ｆのうち収納された切削工具の材種を示す色表示部３１ａのみが標示された収納容器１が形成される。
そして、この収納容器１に収納された切削工具の材種を識別する際には、色表示部３１ａのみが外部から視認可能となっているので、色表示部３１ａの色を視認することで、収納されている切削工具の材種が超硬であると識別する。
【００２９】
以上より、本実施形態の識別情報表示ラベル３０及び収納容器１並びに識別情報表示方法によれば、色表示部３１ａ〜３１ｆのうち選択された色表示部３１ａを除く他の色表示部３１ｂ〜３１ｆを区別用画像３５で覆うことにより色表示部３１ａの色を外部から視認できるように構成されており、色表示部３１ａが標示する色から収納された切削工具の材種を判別する。すなわち、区別用画像３５を形成することで収納された切削工具の材種を表示するので、標示する色にそれぞれ応じた色表示部を有する複数種の識別情報表示ラベルを準備する必要がなく、管理、保管が容易である。また、区別用画像３５が文字情報など他の情報画像と共に単色で形成することができるので、複数色の画像を形成することができる高価な画像形成装置を用いる必要がなく、色による識別機能を安価に付加できる。
【００３０】
ここで、区別用画像３５が色表示部３１ｂ〜３１ｆの全体を覆っているので、色表示部３１ａを他の色表示部３１ｂ〜３１ｆから視認により容易に区別することができる。
そして、プリンタ装置により区別用画像３５や各種文字情報などを形成するので、微細な文字画像などを形成することができると共に、形成した文字画像などが消えることを防止する。したがって、識別情報表示ラベル３０に表示された識別情報を良好に視認することができる。
特に、収納容器１は、平箱状となっていることから、蓋体３の上面に他の収納容器１の底部１１を重ね合わせることで積み重ねて保管されるが、積み重ねたときに他の収納容器１と非接触である側壁部１５に第２ラベル部３０Ｂが貼付されているので、収納容器１を積み重ねた場合であっても、識別情報表示ラベル３０を良好に視認することができる。
【００３１】
なお、本発明は上記実施形態に限定されるものではなく、本発明の趣旨を逸脱しない範囲において種々の変更を加えることが可能である。
例えば、上述した実施形態では、色表示部が識別情報として切削工具の材種を表示しているが、切削工具の用途や被削材を識別情報として表示してもよく、これらを組み合わせたものを表示してもよい。例えば、切削工具の用途である場合には旋削や転削、ドリル、溝加工などを表示させ、被削材である場合には鋼やステンレス、鋳鉄、難削材などを表示させる。
【００３２】
また、識別情報を標示する色表示部を除く他の色表示部の全体を黒色の画像で覆っているが、識別情報を標示する色表示部と他の色表示部とが容易に視認によって区別できれば、他の色表示部に印す画像が「×」印の画像のように他の色表示部の一部を画像が覆うような区別用画像であってもよい。また、これとは逆に、識別情報を標示する色表示部に「○」の画像を形成することで、識別情報を表示する色表示部の一部を選択するような構成としてもよい。さらに、識別情報を表示する色表示部に、例えば切削工具の種類や材種などの文字情報を区別用画像として形成してもよい。また、他の色表示部の全体を区別用画像で覆うと共に、一部の色表示部に文字情報や図形情報を画像として形成してもよい。
【００３３】
また、底部、側壁部及び蓋体にそれぞれ識別情報表示ラベルを貼付しているが、収納容器の少なくとも１箇所に貼付されていればよい。また、複数枚の識別情報表示ラベルを貼付する構成としてもよい。
また、収納容器は、収納空間にインサートなどの切削工具を収納するが、ドリルなど他の切削工具を収納するものであってもよく、切削工具に限らず他の収納物を収納するものであってもよい。
また、収納容器は複数の収納空間を有しているが、１以上の収納空間を有する構成であればよい。
【図面の簡単な説明】
【００３４】
【図１】本発明の収納容器を示すもので、（ａ）は平面図、（ｂ）は側面図である。
【図２】識別情報表示ラベルが貼付された収納容器を示すもので、（ａ）は平面図、（ｂ）は左側面図、（ｃ）は底面図である。
【図３】識別情報表示ラベルを示す平面図である。
【図４】文字情報表示部や区別用画像などの形成前における識別情報表示ラベルを示す平面図である。
【符号の説明】
【００３５】
１  収納容器
２  容器本体
３０  識別情報表示ラベル
３１ａ〜３１ｆ  色表示部
３２  文字情報表示部（文字情報）
３３  図形情報表示部（図形情報）
３４  バーコード情報表示部（バーコード情報）
３５  区別用画像
【図１】
2007101831.tif 000003
【図２】
2007101831.tif 000004
【図３】
2007101831.tif 000005
【図４】
2007101831.tif 000006